(57)【特許請求の範囲】
【請求項１】
柔軟性を有するテープ基材の少なくとも片面に流動性を有する粘着剤を多孔性の被閉部材により被閉して前記テープ基材と被閉部材との間に前記孔から押出可能に滞留させた電線被覆用テープを用いて電線が被覆されることを特徴とする被覆電線。
【請求項２】
柔軟性を有するテープ基材と、該テープ基材の少なくとも片面に流動性を有する粘着剤を滞留させるように被閉され、押圧力を付与することにより前記粘着剤が押出可能な孔を有する多孔性の被閉部材とから成る電線被覆用テープ。
【請求項３】
テープ基材は、ポリエチレン樹脂、ＰＥＴ樹脂、ポリアミド樹脂、ポリ酢酸ビニール樹脂、ポリビニルアルコール樹脂、ポリ塩化ビニール樹脂の何れかの熱可塑性の合成樹脂により形成されることを特徴とする請求項２に記載の電線被覆用テープ。
【請求項４】
被閉部材は、多数の孔を開設した布帛、合成樹脂フィルム、またはメッシュ状の織布により形成されることを特徴とする請求項２または請求項３の何れかに記載の電線被覆用テープ。
【請求項５】
テープ基材の被閉部材に対する対向面に粘着剤を滞留させる粘着剤溜凹部が形成されることを特徴とする請求項２、請求項３、または請求項４の何れかに記載の電線被覆用テープ。
【請求項６】
粘着剤は、ゴム系の粘着剤により形成されることを特徴とする請求項２、請求項３、請求項４、または請求項５の何れかに記載の電線被覆用テープ。
【発明の詳細な説明】
【０００１】
【発明の属する技術分野】
本発明は被覆電線および電線被覆用テープに関し、電線に対する電線被覆用テープの捲回作業の作業性が良く、また捲回後には電線被覆用テープがずれ動いたり、粘着剤が過剰量になることなく電線に確実に固定され、さらには電線被覆用テープを剥離して電線をばらすというばらし作業を容易かつ迅速に行おうとする。
【０００２】
【従来の技術】
従来、自動車の電気系統に配索するために使用するワイヤーハーネスとして例えば図４および図５に示すような被覆電線が使用されている。
すなわち、複数本の電線ａを集束し、その電線ａの外周をポリ塩化ビニール樹脂のような合成樹脂ビニールにより形成される柔軟性を有するテープ基材ｃの片面にゴム系の粘着剤ｄを全面的に塗布した二層構造の電線被覆用テープｂを用いて左右何れかの一面に重合部ｂ1 ，ｂ2 を設け、何れか他面を長手方向Ｘ′に順次位相をずらして捲回するという、ハーフ・ラップ巻きを採用することにより捲回し、収束された被覆電線を形成していた。
【０００３】
【発明が解決しようとする課題】
しかしながら、図４および図５に示すような上記従来の被覆電線は、ポリ塩化ビニール樹脂のような合成樹脂ビニールにより形成される柔軟性を有するテープ基材ｃの片面にゴム系の粘着剤ｄを全面的に塗布した電線被覆用テープｂを用いて例えばハーフ・ラップ巻きを採用して複数本の電線ａを集束し、その外周を被覆する。従って、テープ基材ｃの片面に全面的に塗布されている粘着剤ｄは、電線被覆用テープｂの重合部ｂ1 ，ｂ2 相互と電線被覆用テープｂとが電線ａの外周に全面的に接触することになるのに応じて粘着される。このため、電線ａは電線被覆用テープｂの粘着剤ｄによる粘着性を強く受けるので、電線ａの外周に電線被覆用テープｂを捲回して行く場合の捲回作業がしずらく多くの時間と労力がかかり、捲回作業の作業性が非能率であった。また電線被覆用テープｂの捲回後には、電線ａの外周面に粘着剤ｄがのり移って電線被覆用テープｂ自体から粘着剤ｄが欠落するため、電線被覆用テープｂの電線ａに対する固定が不十分になったり、不用意に電線被覆用テープｂがずれ動いてしまう。
また、一度電線被覆用テープｂが被覆し、収束された電線ａの集束を解いて個別に解体するといういわゆるばらし作業を行う場合に、電線ａに対する電線被覆用テープｂの剥離作業には多くの時間と労力がかかり、作業能率が低いものであった。しかも電線被覆用テープｂは、テープ基材ｃに対して粘着剤ｄが全面的に塗布されたものであるので、テープ基材ｃに対する粘着剤ｄの占有率が大きいので、ばらし作業を行って収束された電線ａから電線被覆用テープｂ自体を剥離した後に、粘着剤ｄの除去を行うのに多くの工程と労力が必要になるため、リサイクル性が悪かった。
【０００４】
本発明は上記従来の欠点を解決し、電線に対する電線被覆用テープの捲回作業を行う場合の作業性を良くし、また捲回後には電線被覆用テープがずれ動いたり、粘着剤が過剰量になることなく電線を確実に固定でき、しかも電線被覆用テープを電線から剥離する時の剥離性が迅速かつ確実に行え、もって電線のばらし作業を効率的に行え、さらには構造簡単にして量産向きで製作コストおよび資材費が安価な被覆電線および電線被覆用テープを提供しようとする。
【０００５】
【課題を解決するための手段】
本発明は上記課題に鑑みなされ、請求項１に記載の発明は、柔軟性を有するテープ基材の少なくとも片面に流動性を有する粘着剤を多孔性の被閉部材により被閉して前記テープ基材と被閉部材との間に前記孔から押出可能に滞留させた電線被覆用テープを用いて電線が被覆されることを特徴とするという手段を採用した。
【０００６】
また本発明の請求項２に記載の発明は、柔軟性を有するテープ基材と、該テープ基材の少なくとも片面に流動性を有する粘着剤を滞留させるように被閉され、押圧力を付与することにより前記粘着剤が押出可能な多数の孔を有する多孔性の被閉部材とから成るという手段を採用した。
【０００７】
また本発明の請求項３に記載の発明は、請求項２においてテープ基材は、ポリエチレン樹脂、ＰＥＴ樹脂、ポリアミド樹脂、ポリ酢酸ビニール樹脂、ポリビニルアルコール樹脂、ポリ塩化ビニール樹脂の何れかの熱可塑性の合成樹脂により形成されることを特徴とするという手段を採用した。
【０００８】
また本発明の請求項４に記載の発明は、請求項２または請求項３の何れかに記載の発明において被閉部材は、多数の孔を開設した布帛、合成樹脂フィルム、またはメッシュ状の織布により形成されることを特徴とするという手段を採用した。
【０００９】
また本発明の請求項５に記載の発明は、請求項２、請求項３、または請求項４の何れかにおいてテープ基材の被閉部材に対する対向面に粘着剤を滞留させる粘着剤溜凹部が形成されることを特徴とするという手段を採用した。
【００１０】
また本発明の請求項６に記載の発明は、請求項２、請求項３、請求項４、または請求項５の何れかにおいて粘着剤は、ゴム系の粘着剤により形成されることを特徴とするという手段を採用した。
【００１１】
【発明の実施の形態】
以下、本発明の実施の形態の具体例を図面を参照して説明する。
図１ないし図３は本発明の一実施態様を示し、１は電線被覆用テープであり、この電線被覆用テープ１は柔軟性を有するテープ基材２と、該テープ基材２の少なくとも片面（電線被覆用テープ１との対向面）に流動性を有する粘着剤３を滞留させるように被閉し、押圧力を付与することにより前記粘着剤３が押出可能になる多数の多孔性の被閉部材４とから成る三層構造に形成される。
【００１２】
テープ基材２は、例えばポリエチレン樹脂、ポリアミド樹脂、ポリ酢酸ビニール樹脂、ポリビニルアルコール樹脂、ポリ塩化ビニール樹脂の何れかの熱可塑性の合成樹脂により形成され、電線５に捲回されるものなので柔軟性に富んだものが使用される。２ａはテープ基材２の被閉部材４に対する対向面に形成された粘着剤溜凹部であり、この粘着剤溜凹部２ａは内部に粘着剤３を滞留させるためのものである。そして、この粘着剤溜凹部２ａ内に滞留されている粘着剤３は使用時に例えばドラムに捲回されている電線被覆用テープ１を所望長さ引き出して切断する場合に図３の矢印Ｆに示す方向にテープ基材２に押圧力を付与することにより前記粘着剤３が被閉部材４の多数の孔４ａから外部へ押出されて粘着性を発揮する。この際、図３の矢印Ｆに示す方向への電線被覆用テープ１に対する押圧個所は電線被覆用テープ１に対して全体に及んで行うようにしてもよいし、または粘着剤３によって粘着を行う所望個所だけを選んで行ってもよい。また粘着剤溜凹部２ａ内に滞留される粘着剤３の収容量は適当量に調整される。しかも孔４ａの大きさや設置個数は、粘着剤溜凹部２ａ内に滞留される粘着剤３の硬軟度、電線被覆用テープ１の不使用時における粘着剤滞留凹部２ａ内への滞留性、また電線被覆用テープ１の使用時における孔４ａからの押出量の多少に鑑み適度のものが選定される。
【００１３】
また粘着剤３は、ゴム系、例えば合成ゴムとしてのブチルゴムが使用される。
【００１４】
また電線５は所望複数本を集束して外周に電線被覆用テープ１を被覆するようなものが使用される。
【００１５】
本発明の一実施態様は以上の構成からなり、本実施態様の電線被覆用テープ１を用いて被覆電線を形成するには、先ず所望複数本の電線５を一まとめにする。
その後、ドラムに捲回されている電線被覆用テープ１を電線５の外周に例えばハーフ・ラップ巻きを採用することによって長手方向Ｘに螺旋状に捲回して行く点は従来の捲回方法と同様である。
【００１６】
しかしながら本実施態様では、電線被覆用テープ１の捲回作業を行う場合に、電線被覆用テープ１を所望長さ引出して所望複数本が収束された電線５の外周に捲回すると、この電線被覆用テープ１のテープ基材２と被閉部材４との間、例えばテープ基材２の被閉部材４に対する対向面に形成される粘着剤溜凹部２ａ内には流動性を有する粘着剤３が滞留されているので、柔軟性を有するテープ基材２に図３の矢印Ｆに示す方向に押圧力を付与すると、粘着剤３は例えばメッシュ状の織布からなる被閉部材４に設けられている多数の孔４ａから外部に押し出され、粘着性を発揮する。
【００１７】
この際、テープ基材２に対する矢印Ｆ方向への押圧力が略一定であり、しかも粘着剤溜凹部２ａ内に収容されている粘着剤３の収容量が略一定であると考えると、被閉部材４に設けられる多数の孔４ａの大きさや設置個数は、粘着剤溜凹部２ａ内に滞留される粘着剤３の硬軟度を加減することにより適当に押出量が調整され、電線５へ確実に固定するようになる。
【００１８】
そして、被閉部材４に設ける多数の孔４ａから押し出される粘着剤３はテープ基材２に対して従来の電線被覆テープのようにテープ基材の裏面に粘着剤が全面的に塗布され、過剰量になるのとは異なり粘着剤３は電線５の外周に点接触して粘着性を発揮するため、電線被覆用テープ１の重合部１ａ，１ｂ相互、および電線５の外周に強固に固定することができ、電線被覆用テープ１のずれ動きは防止される。それから、電線被覆用テープ１はカッタを用いて使用長さが切断される。
【００１９】
また前述のように、粘着剤３は被閉部材４に設けた多数の孔４ａから使用時に押し出されて電線被覆用テープ１の重合部１ａ，１ｂ相互、および電線５の外周に点接触して粘着性を発揮して電線被覆用テープ１は固定されるので、一度電線被覆用テープ１が捲回されて被覆された電線５の集束を解いて個別に解体するといういわゆるばらし作業を行う場合に、電線５に対する電線被覆用テープ１の剥離作業に多くの時間と労力とを必要とせずに迅速かつ円滑に電線５から電線被覆用テープ１を剥離し、電線５のばらし作業を行うことができる。
【００２０】
しかも、電線５のばらし作業後は、電線被覆用テープ１は被閉部材４に設けた多数の孔４ａから粘着剤３が押し出されて点在することになり、従来の電線被覆用テープのように粘着剤が過剰量にはならないので、電線被覆用テープ１を回収してから、粘着剤３の除去作業を行うのが簡単かつ確実になる。そして、被閉部材４と分離されるテープ基材２を廃棄処分にすることなくリサイクルして資源の有効活用が簡便に行える。
【００２１】
図示した上記実施態様ではテープ基材２に設ける粘着剤溜凹部２ａ内に粘着剤３を滞留させる場合を代表的に説明したけれども、テープ基材２と被閉部材４との間に粘着剤３を滞留させる方法はこれに限ることなく、例えば粘着剤３の滞留量に応じて被閉部材４を緩みをもたせて閉止するようにすることも本発明の適用範囲である。
【００２２】
また図示する上記実施態様では被閉部材４は、多数の孔４ａが設けられたメッシュ状の織布が用いられているが、これに限ることなく孔４ａから流動性の粘着剤３を押し出すためには多数の孔４ａが開設された布帛や合成樹脂フィルムを用いることもできる。
【００２３】
【発明の効果】
本発明の請求項１に記載の発明は、柔軟性を有するテープ基材の少なくとも片面に流動性を有する粘着剤を多孔性の被閉部材により被閉して前記テープ基材と被閉部材との間に前記孔から押出可能に滞留させた電線被覆用テープを用いて電線が被覆され、また本発明の請求項２に記載の発明は、柔軟性を有するテープ基材と、該テープ基材の少なくとも片面に流動性を有する粘着剤を滞留させるように被閉され、押圧力を付与することにより前記粘着剤が押出可能な多数の孔を有する多孔性の被閉部材とから成るので、電線に対する電線被覆用テープの捲回作業の作業性が良くなり、また電線に捲回後は電線被覆用テープがずれ動いたり、粘着剤が過剰量になることなく電線を確実に固定することができ、しかも電線被覆用テープを電線から剥離する時の剥離性が迅速かつ確実に行え、また電線のばらし作業を効率的に行え、さらには構造が簡単にして量産向きであるため製作コストおよび資材費は安価になる。
【００２４】
また本発明の請求項３に記載の発明は、請求項２においてテープ基材は、ポリエチレン樹脂、ＰＥＴ樹脂、ポリアミド樹脂、ポリ酢酸ビニール樹脂、ポリビニルアルコール樹脂、ポリ塩化ビニール樹脂の何れかの熱可塑性の合成樹脂により形成されることを特徴とするので、一度使用に供してそのまま廃棄することなく回収後にリサイクルすることができ、資源を有効活用することができる。
【００２５】
また本発明の請求項４に記載の発明は、請求項２または請求項３の何れかにおいて被閉部材は、多数の孔を開設した布帛、合成樹脂フィルム、またはメッシュ状の織布により形成されることを特徴とするので、テープ基材との間に流動性を有する粘着剤を容易かつ確実に滞留することができるとともに使用時に押圧力をテープ基材に付与することにより多数の孔から円滑かつ迅速に粘着剤を押し出すことができる。
【００２６】
また本発明の請求項５に記載の発明は、請求項２、請求項３、または請求項４の何れかにおいて、テープ基材の被閉部材に対する対向面に粘着剤を滞留させる粘着剤溜凹部が形成されることを特徴とするので、所望量の粘着剤をテープ基材と被閉部材との間に滞留することができる。
【００２７】
また本発明の請求項６に記載の発明は、請求項２、請求項３、請求項４、または請求項５の何れかにおいて、粘着剤は、ゴム系の粘着剤により形成されることを特徴とするので、粘着性は良好であり、しかも安価に多量に供給することができる。
【図面の簡単な説明】
【図１】本発明の被覆電線の第１実施態様を示す半断面図である。
【図２】同じく本実施態様で使用する電線被覆用テープを幅方向に切断した状態を示す拡大断面図である。
【図３】同じく電線被覆用テープの使用時の拡大断面図である。
【図４】従来の被覆電線を示す半断面図である。
【図５】同じく従来の電線被覆用テープを幅方向に切断した状態の拡大断面図である。
【符号の説明】
１    電線被覆用テープ
２    テープ基材
２ａ  粘着剤溜凹部
３    粘着剤
４    被閉部材
５    電線
【図１】
0003822797.tif 000002
【図２】
0003822797.tif 000003
【図３】
0003822797.tif 000004
【図４】
0003822797.tif 000005
【図５】
0003822797.tif 000006